【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  関連する一連のグラフを表示する方法であって、
（ａ）前記関連する一連のグラフ内の一意的なノードすべてのインベントリを作成するステップと、
（ｂ）前記インベントリに基づいて、平面テンプレート内での一意的なレイアウト位置を一意的なノードの各々に割当てるステップと、
（ｃ）各グラフの各ノードを、各グラフに対応する平面スライスにおいて前記平面テンプレート内での一意的なレイアウト位置に配置することにより、前記関連する一連のグラフに対応する一連の平面スライスを作成するステップと、
（ｄ）前記一連の平面スライスを同時に表示するステップと、
を含むことを特徴とする方法。
【請求項２】  関連する一連のグラフからノード間の関係を表示する方法であって、
（ａ）前記関連する一連のグラフに対応する一連の平面スライスを作成するステップと、
（ｂ）互いに実質的に平行に前記一連の平面スライスを同時に表示するステップと、
（ｃ）前記一連の平面スライスにおける対応ノードをリンクさせるステップと、
を含むことを特徴とする方法。
【請求項３】  請求項２に記載の方法であって、前記ステップ（ｃ）が、
（ｄ）ユーザーがカーソルを平面スライス内のノード上に置くと、前記一連の平面スライスにおいて該ノードと対応するノードをリンクさせるステップ
を含むことを特徴とする方法。
【請求項４】  請求項２に記載の方法であって、前記ステップ（ｃ）が、
（ｅ）ある平面スライスの複数のノードが隣接する平面スライスの単一のノードに対応するとき、該隣接する平面スライスの単一ノードに該複数のノードをリンクさせるステップ
を含むことを特徴とする方法。
【請求項５】  コンピュータ読み出し可能記憶媒体であって、
前記コンピュータ読み出し可能記憶媒体上で実現され、関連する一連のグラフを表示する方法を実行するようにコンピュータをプログラムするコンピュータ読み出し可能プログラムコードを含み、前記方法が、
（ａ）前記関連する一連のグラフ内の一意的なノードすべてのインベントリを作成するステップと、
（ｂ）前記インベントリに基づいて、平面テンプレート内での一意的なレイアウト位置を一意的なノードの各々に割当てるステップと、
（ｃ）各グラフの各ノードを、各グラフに対応する平面スライスにおいて前記平面テンプレート内での一意的なレイアウト位置に配置することにより、前記関連する一連のグラフに対応する一連の平面スライスを作成するステップと、
（ｄ）前記一連の平面スライスを同時に表示するステップと、
を含むことを特徴とするコンピュータ読み出し可能記憶媒体。
【請求項６】  コンピュータ読み出し可能記憶媒体であって、
前記コンピュータ読み出し可能記憶媒体上で実現され、関連する一連のグラフからノード間の関係を表示する方法を実行するようにコンピュータをプログラムするコンピュータ読み出し可能プログラムコードを含み、前記方法が、
（ａ）前記関連する一連のグラフに対応する一連の平面スライスを作成するステップと、
（ｂ）互いに実質的に平行に前記一連の平面スライスを同時に表示するステップと、
（ｃ）前記一連の平面スライスにおける対応ノードをリンクさせるステップと、
を含むことを特徴とするコンピュータ読み出し可能記憶媒体。
【請求項７】  関連する一連のグラフを表示するための装置であって、
プロセッサと、
前記プロセッサに結合される表示装置と、
前記プロセッサに結合され、前記関連する一連のグラフを表示する方法を実行するように前記装置をプログラムするためのプロセッサ読み出し可能プログラムコードを備えるプロセッサ読み出し可能記憶媒体と、
を備え、前記方法が、
（ａ）前記関連する一連のグラフ内の一意的なノードすべてのインベントリを作成するステップと、
（ｂ）前記インベントリに基づいて、平面テンプレート内での一意的なレイアウト位置を一意的なノードの各々に割当てるステップと、
（ｃ）各グラフの各ノードを、各グラフに対応する平面スライスにおいて前記平面テンプレート内での一意的なレイアウト位置に配置することにより、前記関連する一連のグラフに対応する一連の平面スライスを作成するステップと、
（ｄ）前記一連の平面スライスを同時に表示するステップと、
を含むことを特徴とする装置。
【請求項８】  関連する一連のグラフからノード間の関係を表示するための装置であって、
プロセッサと、
前記プロセッサに結合される表示装置と、
前記プロセッサに結合され、前記関連する一連のグラフからノード間の関係を表示する方法を実行するようにコンピュータをプログラムするためのプロセッサ読み出し可能プログラムコードを含むプロセッサ読み出し可能記憶媒体と、
を備え、前記方法が、
（ａ）前記関連する一連のグラフに対応する一連の平面スライスを作成するステップと、
（ｂ）互いに実質的に平行に前記一連の平面スライスを同時に表示するステップと、
（ｃ）前記一連の平面スライスにおける対応ノードをリンクさせるステップと、
を含むことを特徴とする装置。
【手続補正２】
【補正対象書類名】明細書
【補正対象項目名】００９９
【補正方法】変更
【補正の内容】
【００９９】
本発明の種々の局面をその実施形態に照らして説明してきたが、これらの実施形態は単に例であり、これに限定されるものではない。上記の本発明の詳細な説明は、単に例示および説明を目的とするものである。本発明はここに開示した形態に尽きるものでも限定されるものでもなく、明らかに上述の教示に鑑みて数多くの変形および変更が可能である。ここで説明した実施形態は本発明の原理とその実用を最も良く説明し、当業者が本発明を種々の実施形態で意図する用途に適したように種々の変更を加えて最良に利用できるように選択されたものである。当業者であれば、この開示によって上記の実施形態に種々の追加または変更を加えることが可能である。これらの追加および変更も本発明の範囲内であり、その範囲は前掲の特許請求の範囲によって定義される。
（付記）本願は以下の発明を提供する。関連する一連のグラフを表示する方法であって、（ａ）前記関連する一連のグラフ内の一意的なノードすべてのインベントリを作成するステップと、（ｂ）前記インベントリに基づいて、平面テンプレート内での一意的なレイアウト位置を一意的なノードの各々に割当てるステップと、（ｃ）各グラフの各ノードを、各グラフに対応する平面スライスにおいて前記平面テンプレート内での一意的なレイアウト位置に配置することにより、前記関連する一連のグラフに対応する一連の平面スライスを作成するステップと、（ｄ）前記一連の平面スライスを同時に表示するステップと、を含むことを特徴とする方法。上記発明において、前記平面スライスの形状が円形であることを特徴とする方法。上記発明において、各平面スライスが別の平面スライスに対して物理的な次元においてスケーリングされることを特徴とする方法。上記発明において、各グラフ内の各ノードが、平面グラフ上で色で符号化される、それと関連した値を有することを特徴とする方法。
関連する一連のグラフからノード間の関係を表示する方法であって、（ａ）前記関連する一連のグラフに対応する一連の平面スライスを作成するステップと、（ｂ）互いに実質的に平行に前記一連の平面スライスを同時に表示するステップと、（ｃ）前記一連の平面スライスにおける対応ノードをリンクさせるステップと、を含むことを特徴とする方法。上記発明であって、前記ステップ（ｃ）が、（ｄ）ユーザーがカーソルを平面スライス内のノード上に置くと、前記一連の平面スライスにおいて該ノードと対応するノードをリンクさせるステップを含むことを特徴とする方法。上記発明であって、前記ステップ（ｃ）が、（ｅ）ある平面スライスの複数のノードが隣接する平面スライスの単一のノードに対応するとき、該隣接する平面スライスの単一ノードに該複数のノードをリンクさせるステップを含むことを特徴とする方法。
コンピュータ読み出し可能記憶媒体であって、前記コンピュータ読み出し可能記憶媒体上で実現され、関連する一連のグラフを表示する方法を実行するようにコンピュータをプログラムするコンピュータ読み出し可能プログラムコードを含み、前記方法が、（ａ）前記関連する一連のグラフ内の一意的なノードすべてのインベントリを作成するステップと、（ｂ）前記インベントリに基づいて、平面テンプレート内での一意的なレイアウト位置を一意的なノードの各々に割当てるステップと、（ｃ）各グラフの各ノードを、各グラフに対応する平面スライスにおいて前記平面テンプレート内での一意的なレイアウト位置に配置することにより、前記関連する一連のグラフに対応する一連の平面スライスを作成するステップと、（ｄ）前記一連の平面スライスを同時に表示するステップと、を含むことを特徴とするコンピュータ読み出し可能記憶媒体。上記発明において、コンピュータ読み出し可能プログラムコードを含むコンピュータ読み出し可能記憶媒体であって、前記平面スライスの形状が円形であることを特徴とするコンピュータ読み出し可能記憶媒体。上記発明において、コンピュータ読み出し可能プログラムコードを含むコンピュータ読み出し可能記憶媒体であって、各平面スライスが別の平面スライスに対して物理的な次元においてスケーリングされることを特徴とするコンピュータ読み出し可能記憶媒体。上記発明において、コンピュータ読み出し可能プログラムコードを含むコンピュータ読み出し可能記憶媒体であって、各グラフ内の各ノードが、平面グラフ上で色で符号化される、それと関連した値を有することを特徴とするコンピュータ読み出し可能記憶媒体。
コンピュータ読み出し可能記憶媒体であって、前記コンピュータ読み出し可能記憶媒体上で実現され、関連する一連のグラフからノード間の関係を表示する方法を実行するようにコンピュータをプログラムするコンピュータ読み出し可能プログラムコードを含み、前記方法が、（ａ）前記関連する一連のグラフに対応する一連の平面スライスを作成するステップと、（ｂ）互いに実質的に平行に前記一連の平面スライスを同時に表示するステップと、（ｃ）前記一連の平面スライスにおける対応ノードをリンクさせるステップと、を含むことを特徴とするコンピュータ読み出し可能記憶媒体。上記発明において、コンピュータ読み出し可能プログラムコードを含むコンピュータ読み出し可能記憶媒体であって、前記ステップ（ｃ）が、（ｄ）ユーザーがカーソルを平面スライス内のノード上に置くと、前記一連の平面スライスにおいて該ノードと対応するノードをリンクさせるステップを含むことを特徴とするコンピュータ読み出し可能記憶媒体。上記発明において、コンピュータ読み出し可能プログラムコードを含むコンピュータ読み出し可能記憶媒体であって、前記ステップ（ｃ）が、（ｅ）ある平面スライスの複数のノードが隣接する平面スライスの単一のノードに対応するとき、該隣接する平面スライスの単一ノードに該複数のノードをリンクさせるステップを含むことを特徴とするコンピュータ読み出し可能記憶媒体。
関連する一連のグラフを表示するための装置であって、プロセッサと、前記プロセッサに結合される表示装置と、前記プロセッサに結合され、前記関連する一連のグラフを表示する方法を実行するように前記装置をプログラムするためのプロセッサ読み出し可能プログラムコードを備えるプロセッサ読み出し可能記憶媒体と、を備え、前記方法が、（ａ）前記関連する一連のグラフ内の一意的なノードすべてのインベントリを作成するステップと、（ｂ）前記インベントリに基づいて、平面テンプレート内での一意的なレイアウト位置を一意的なノードの各々に割当てるステップと、（ｃ）各グラフの各ノードを、各グラフに対応する平面スライスにおいて前記平面テンプレート内での一意的なレイアウト位置に配置することにより、前記関連する一連のグラフに対応する一連の平面スライスを作成するステップと、（ｄ）前記一連の平面スライスを同時に表示するステップと、を含むことを特徴とする装置。
関連する一連のグラフからノード間の関係を表示するための装置であって、プロセッサと、前記プロセッサに結合される表示装置と、前記プロセッサに結合され、前記関連する一連のグラフからノード間の関係を表示する方法を実行するようにコンピュータをプログラムするためのプロセッサ読み出し可能プログラムコードを含むプロセッサ読み出し可能記憶媒体と、を備え、前記方法が、（ａ）前記関連する一連のグラフに対応する一連の平面スライスを作成するステップと、（ｂ）互いに実質的に平行に前記一連の平面スライスを同時に表示するステップと、（ｃ）前記一連の平面スライスにおける対応ノードをリンクさせるステップと、を含むことを特徴とする装置。